(57)【要約】【課題】ライトワンス型記録媒体を用いるシステムにおいて、リンキングでオーバラップする記録方式を採用しつつ、適切な動作を実現できるようにする。【解決手段】  記録再生の単位となるブロックにリンキングを有し、そのリンキングでオーバーラップして記録するようにしたライトワンス型の記録媒体に対して、製造後に次のような評価方法で評価を行う。同一の製造ロットで製造された記録媒体から抽出した検査用の記録媒体に対して、複数の記録再生ブロックを、リンキングエリアがオーバラップするようにして連続的に記録し、記録された複数のブロックを再生し、エラーレートを測定する測定する。そしてエラーレートが所定値以下であれば良好とし、所定値以下でなければ不適切な記録媒体として排除する。【選択図】      図１０
2005216395.tif 000002
【特許請求の範囲】
【請求項１】
メインデータエリアとリンキングエリアとを有するブロックを単位としてデータ記録が行われるライトワンス型の記録媒体に対して、
複数の上記ブロックを、上記リンキングエリアがオーバラップするように記録していく記録ステップと、
上記記録ステップで記録された複数の上記ブロックを再生し、エラーレートを測定する測定ステップと、
上記エラーレートの測定結果に基づいて、記録媒体の良否を判定する判定ステップと、
を備えることを特徴とする記録媒体評価方法。
【請求項２】
上記判定ステップでは、上記測定ステップで測定されたエラーレートが所定値以下であることで、良好な記録媒体であると判定することを特徴とする請求項１に記載の記録媒体評価方法。
【請求項３】
メインデータエリアとリンキングエリアとを有するブロックを単位としてデータ記録が行われるライトワンス型の記録媒体に対する記録再生装置において、
上記記録媒体に対してデータの記録及び再生を行う記録再生手段と、
複数の上記ブロックを、上記リンキングエリアをオーバラップさせて記録していくように上記記録再生手段を制御し、また記録した複数のブロックを再生するように制御する制御手段と、
上記記録再生手段によって再生される上記複数のブロックについて、エラーレートを測定する測定手段と、
を備えることを特徴とする記録再生装置。
【請求項４】
さらに、上記測定手段によるエラーレートの測定結果に基づいて、記録媒体の良否を判定する判定手段を備えたことを特徴とする請求項３に記載の記録再生装置。
【請求項５】
上記判定手段は、上記測定手段で測定されたエラーレートが所定値以下であることで、良好な記録媒体であると判定することを特徴とする請求項４に記載の記録再生装置。
【請求項６】
メインデータエリアとリンキングエリアとを有するブロックを単位としてデータ記録が行われるライトワンス型の記録媒体であり、
物理的に連続する上記ブロックは、上記リンキングエリアがオーバラップするように記録されることを特徴とする記録媒体。
【請求項７】
上記オーバラップして記録されるエリアについて、記録再生のメディアスペックが規定されていないことを特徴とする請求項６に記載の記録媒体。
【請求項８】
上記記録媒体は、
複数の上記ブロックを、上記リンキングエリアがオーバラップするように記録した後、記録した複数の上記ブロックを再生してエラーレートを測定し、該エラーレートの測定結果に基づいて良否が判定されることを特徴とする請求項６に記載の記録媒体。
【発明の詳細な説明】
【技術分野】
【０００１】
本発明は光ディスク等の記録媒体、特に１回のみデータ書き込み可能なライトワンス型の記録媒体と、その評価方法、及び記録再生装置に関するものである。
【背景技術】
【０００２】
デジタルデータを記録・再生するための技術として、例えば、ＣＤ（Compact Disk），ＭＤ（Mini-Disk），ＤＶＤ（Digital Versatile Disk）などの、光ディスク（光磁気ディスクを含む）を記録メディアに用いたデータ記録技術がある。光ディスクとは、金属薄板をプラスチックで保護した円盤に、レーザ光を照射し、その反射光の変化で信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭなどで知られているようにユーザーデータが記録可能なタイプがある。記録可能タイプのものは、光磁気記録方式、相変化記録方式、色素膜変化記録方式などが利用されることで、データが記録可能とされる。色素膜変化記録方式はライトワンス記録方式とも呼ばれ、一度だけデータ記録が可能で書換不能であるため、データ保存用途などに好適とされる。一方、光磁気記録方式や相変化記録方式は、データの書換が可能であり音楽、映像、ゲーム、アプリケーションプログラム等の各種コンテンツデータの記録を始めとして各種用途に利用される。
更に近年、ブルーレイディスク（Blu-Ray Disc）と呼ばれる高密度光ディスクが開発され、著しい大容量化が図られている。
【０００３】
このブルーレイディスクのような高密度ディスクについては、ディスク厚み方向に０．１ｍｍのカバー層を有するディスク構造において、波長４０５ｎｍのレーザ（いわゆる青色レーザ）とＮＡが０．８５の対物レンズの組み合わせという条件下でフェーズチェンジマーク（相変化マーク）を記録再生を行うとし、トラックピッチ０．３２μｍ、線密度０．１２μｍ／bitで、６４ＫＢ（キロバイト）のデータブロックを１つの記録再生単位として、フォーマット効率約８２％としたとき、直系１２cmのディスクに２３．３ＧＢ（ギガバイト）程度の容量を記録再生できる。
また、同様のフォーマットで、線密度を０．１１２μｍ／bitの密度とすると、２５ＧＢの容量を記録再生できる。
さらに、記録層を多層構造とすることでさらに飛躍的な大容量化が実現できるる。例えば記録層を２層とすることにより、容量は上記の２倍である４６．６ＧＢ、又は５０ＧＢとすることができる。
【０００４】
ところで、上記各種の光ディスクにおいて、再生専用ディスク、例えばＤＶＤ−ＲＯＭ等では、データは、基本的に誤り訂正ブロック単位で、ディスク上にあらかじめ作られたピット（エンボスピット等）として記録されている。
そして従来知られている再生専用ディスクのデータフォーマットとしては、誤り訂正ブロック単位がとぎれなく連続して記録されている。
これは、誤り訂正ブロックが１つの記録再生単位のブロックとされ、ブロックとブロックの間にはリンキング領域（バッファ領域）が形成されていないという意味である。
【０００５】
記録可能なディスク（記録再生ディスク）でも、再生専用ディスクと同様に、基本的に誤り訂正ブロック単位で、ディスク上にデータ記録及びその再生を行う。
ただし、ランダムアクセス記録性を考慮して、ブロックとブロックの間にはリンキング領域が形成される場合がある。
リンキングを用いると、記録再生装置でブロックのランダムアクセスを実現する場合に、リンキング無しのデータフォーマットの場合に比べて単純で安価なハードウエアで実現できるという利点がある。
リンキングを有するディスクフォーマット技術は、例えば次の文献に開示されている。
【０００６】
【特許文献１】特開平４−３０１２６４号公報
【特許文献２】特開平５−８９６０２号公報
【発明の開示】
【発明が解決しようとする課題】
【０００７】
ところで、記録層が２層構造とされる２層記録再生ディスクのような多層記録再生ディスクに対して記録再生を行うことを考えた場合、記録再生のためのレーザ光の入射側からみて遠い方の記録層については、近い方の記録層でのレーザ光の透過率を考慮しなければならない。
例えば、レーザ光を出力する記録再生光学系に近い側の記録層において、データが記録されたエリアと、まだデータ記録されていない未記録のエリアが交互に存在する場合に、記録再生光学系から遠い側の記録層に対してデータの記録再生を行うと、記録再生光学系に近い側の記録層の記録エリアと未記録エリアでの光の透過率のちがいの影響により、精度よく記録再生されないことがある。
そこで、書換可能型のディスクシステムでは、記録エリア、未記録エリアが交互に発生しないようにしていた。
上記のようにデータ記録は、エラー訂正ブロック単位とされるクラスタと呼ばれる所定バイト単位で行われ、また或るクラスタと次のクラスタの間にはリンキングエリアが設けられる。
このようなクラスタ単位でのデータ書き込みにおいて、既に記録されたクラスタに物理的に連続して次のクラスタの書き込みを行うときには、リンキングエリアがオーバラップして記録が行われるようにする。このようにすると、クラスタとクラスタの間に部分的な未記録領域が発生することがなくなり、つまり記録エリア、未記録エリアが交互に発生しないため、上記のような不都合が解消される。
【０００８】
ここで、このような書換可能型のディスクと同じフォーマットとする新規なライトワンスディスクを考える。
ライトワンス型の光ディスクでは、当然ながらデータ書込は１回しかできず、多数回のデータ書き込みについて考慮することは基本的に意味がない。つまりディスクの物理的なフォーマットや記録再生方式上のスペックに対する定義として、１回記録のスペックについては定義されるが、多数回記録した際のスペックを定義するのは、意味がなく、かつ困難である。
【０００９】
ところが上記のような多層ディスクまでも想定する事情から、リンキングでオーバラップする記録方式を行うとすると、ライトワンスディスクでありながら、そのオーバラップされるエリアでは複数回の書き込みが行われることになり、多数回記録について各種特性を考慮してメディアスペックを定義しなければならないことになる。ここでいうメディアスペックとは、例えば再生される信号のジッター特性、変調度、プッシュプル振幅などである。
しかしながら、ライトワンスディスクに対して多数回記録に対応できるメディアスペックを定義することは困難であり、かつそのような定義によってメディアや記録再生装置の設計・製造上の難易度も高くなる。
一方で、多数回記録に関するメディアスペックを定義しないままで、上記のオーバーラップ記録が行われるようにすると、記録再生動作を保証できない。例えばオーバラップ部分で急激な反射率のちがいが発生したり、あるいは、記録層へのダメージを与えたりする可能性がある。そのため、とりわけトラッキングサーボに影響を与え、安定にサーボがかからない可能性があるなど、システムの不安定化の要因となってしまう。
【課題を解決するための手段】
【００１０】
そこで本発明は、ライトワンス型の光記録媒体を用いるシステムにおいて、リンキングでオーバラップする記録方式を採用しつつ、適切な動作を実現できるようにすることを目的とする。
【００１１】
本発明の記録媒体評価方法は、メインデータエリアとリンキングエリアとを有するブロックを単位としてデータ記録が行われるライトワンス型の記録媒体に対して、複数の上記ブロックを、上記リンキングエリアがオーバラップするように記録していく記録ステップと、上記記録ステップで記録された複数の上記ブロックを再生し、エラーレートを測定する測定ステップと、上記エラーレートの測定結果に基づいて、記録媒体の良否を判定する判定ステップと、を備える。
また上記判定ステップでは、上記測定ステップで測定されたエラーレートが所定値以下であることで、良好な記録媒体であると判定する。
【００１２】
本発明の記録再生装置は、メインデータエリアとリンキングエリアとを有するブロックを単位としてデータ記録が行われるライトワンス型の記録媒体に対する記録再生装置において、上記記録媒体に対してデータの記録及び再生を行う記録再生手段と、複数の上記ブロックを、上記リンキングエリアをオーバラップさせて記録していくように上記記録再生手段を制御し、また記録した複数のブロックを再生するように制御する制御手段と、上記記録再生手段によって再生される上記複数のブロックについて、エラーレートを測定する測定手段とを備える。
またさらに、上記測定手段によるエラーレートの測定結果に基づいて、記録媒体の良否を判定する判定手段を備える。
またその場合、上記判定手段は、上記測定手段で測定されたエラーレートが所定値以下であることで、良好な記録媒体であると判定する。
【００１３】
本発明の記録媒体は、メインデータエリアとリンキングエリアとを有するブロックを単位としてデータ記録が行われるライトワンス型の記録媒体であり、物理的に連続する上記ブロックは、上記リンキングエリアがオーバラップするように記録されることを特徴とする。
特に、上記オーバラップして記録されるエリアについて、記録再生のメディアスペックが規定されていないことを特徴とする。
また上記記録媒体は、複数の上記ブロックを、上記リンキングエリアがオーバラップするようにして連続的に記録した後、記録した複数の上記ブロックを再生してエラーレートを測定し、該エラーレートの測定結果に基づいて良否が判定される。
【００１４】
即ち本発明では、記録再生の単位となるブロック（クラスタを含むレコーディングブロック）にリンキングエリアを有し、そのリンキングエリアでオーバーラップして記録するようにした、ライトワンス型の記録媒体を考え、そのような記録媒体に対して、物理的に連続するブロックがリンキングでオーバラップして記録されるようにする。その場合、ライトワンスメディアであることにより、オーバラップ記録部分については適切な動作が保障できなくなるおそれがあるため、例えばメディア製造直後の検査工程において本発明の記録媒体評価方法でサンプリングチェックを行う。これにより動作上の不都合が生ずる記録媒体を排除する。
【発明の効果】
【００１５】
本発明の記録媒体評価方法によれば、記録再生の単位となるブロックにリンキングエリアを有し、そのリンキングエリアでオーバーラップして記録するようにしたライトワンス型の記録媒体に対して製造後の検査が行われる。その場合、例えば同一の製造ロットで製造された記録媒体から検査用の記録媒体をサンプリングして検査を行う。この検査対象の記録媒体に対して、複数の上記ブロックを、上記リンキングエリアがオーバラップするようにして連続的に記録し、記録された複数の上記ブロックを再生し、エラーレートを測定する測定する。そして上記エラーレートの測定結果に基づいて、記録媒体の良否を判定する。ここで再生される領域にはオーバラップ記録領域が含まれる。つまり測定されるエラーレートは、オーバラップ部分を含んでの測定値となる。従って上記のようにエラーレートによって記録媒体の良否を判定すれば、その記録媒体が適切な記録再生動作が可能の記録媒体であるか否かを判定できる。より具体的にはエラーレートが所定値以下であれば、良好な記録媒体と判定すればよい。
また、同時的に製造された同一の製造ロットの記録媒体は、ほぼ同様の特性を備えることが経験的に知られているため、上記のようにサンプリングチェックした記録媒体が良好であれば、該製造ロットの記録媒体は良好であるとみて問題ない。
つまり、本発明の記録媒体評価方法によって評価することで、生産された記録媒体（オーバラップ記録を行うライトワンス記録媒体）について、適正に品質判定を行うことができ、不適切と判断された記録媒体については、その段階で排除することで、良好な記録媒体のみを出荷し、ユーザーに提供できることになる。例えばオーバーラップ記録した場合の、急激な反射率のちがいが生じたり、あるいは記録層へのダメージによる悪影響、とりわけトラッキングサーボへの悪影響で安定にサーボがかからないメディアなど、メディア品質が不十分なものを除いて、良好な記録媒体のみを提供できる。
また本発明の記録再生装置によれば、このような記録媒体評価方法を実行できる。
【００１６】
さらにそのような検査を経て出荷される本発明の記録媒体は、隣接するブロックがオーバーラップ記録されることで、リライタブル記録媒体と同様な記録方式を採用することができ、システム動作上好適であると共に、記録済エリアと未記録エリアが混在しないことで、複数記録層の記録媒体としても好適である。
また、オーバラップ記録部分についての良否が検査工程で保障されることは、言い換えればオーバラップ記録部分のメディアスペックを規定しなくても良いものとなることを意味する。つまりライトワンス記録媒体に対して多数回記録についてのメディアスペックを定義しないことで、ライトワンス記録媒体のメディアスペックの定義自体の困難性を回避することができると共に、メディアや記録再生装置の設計・製造上の難易度が増すこともない。
【発明を実施するための最良の形態】
【００１７】
以下、本発明の実施の形態としてのライトワンス型の光ディスク、その評価方法、及びその光ディスクに対応して記録再生及び評価を行うディスクドライブ装置（記録再生装置）について説明していく。説明は次の順序で行う。
１．ディスク構造
２．データのＥＣＣフォーマット
３．ＲＵＢの記録方式
４．ディスクドライブ装置
５．評価処理
【００１８】
１．ディスク構造
まず実施の形態の光ディスクについて説明する。
一般に、光磁気記録方式、色素膜変化記録方式、相変化記録方式などの記録可能なディスクに対してデータを記録するには、データトラックに対するトラッキングを行うための案内手段が必要になり、このために、プリグルーブとして予め溝（グルーブ）を形成し、そのグルーブもしくはランド（グルーブとグルーブに挟まれる断面台地状の部位）をデータトラックとすることが行われている。
【００１９】
またデータトラック上の所定の位置にデータを記録することができるようにアドレス情報を記録する必要もあるが、このアドレス情報は、グルーブをウォブリング（蛇行）させることで記録される場合がある。
すなわち、データを記録するトラックが例えばプリグループとして予め形成されるが、このプリグループの側壁をアドレス情報に対応してウォブリングさせる。
このようにすると、記録時や再生時に、反射光情報として得られるウォブリング情報からアドレスを読み取ることができ、例えばアドレスを示すピットデータ等を予めトラック上に形成しておかなくても、所望の位置にデータを記録再生することができる。
このようにウォブリンググルーブとしてアドレス情報を付加することで、例えばトラック上に離散的にアドレスエリアを設けて例えばピットデータとしてアドレスを記録することが不要となり、そのアドレスエリアが不要となる分、実データの記録容量を増大させることができる。
【００２０】
本発明の実施の形態の光ディスク１はライトワンス型のディスクであり、図１（ａ）に示すように、記録トラックとなるグルーブＧＶが形成されている。このグルーブＧＶは、内周側から外周側へスパイラル状に形成されている。そのため、この光ディスク１の半径方向の切断面を見ると、図１（ｂ）に示すように、凸状のランドＬと、凹状のグルーブＧＶとが交互に形成されることとなる。
光ディスク１のグルーブＧＶは接線方向に対して蛇行形成されているが、このグルーブＧＶの蛇行形状は、アドレス等を変調して得たウォブル信号に応じた形状となっている。そのため、光ディスクドライブでは、グルーブＧＶに照射したレーザスポットＬＳの反射光からそのグルーブＧＶの両エッジ位置を検出し、レーザスポットＬＳを記録トラックに沿って移動させていった際におけるその両エッジ位置のディスク半径方向に対する変動成分を抽出することにより、ウォブル信号を再生し、アドレス情報等を復調することができる。
このようなウォブリングされたグルーブにより表現される絶対時間（アドレス）情報は、ＡＴＩＰ（Absolute Time In Pregroove）又はＡＤＩＰ（Adress In Pregroove）と呼ばれる。
【００２１】
なお、本発明の実施の形態では、グルーブ記録がされる光ディスクについて説明をするが、本発明はこのようなグルーブ記録の光ディスクに限らず、ランドにデータを記録するランド記録を行う光ディスクに適用することも可能であるし、また、グルーブ及びランドにデータを記録するランドグルーブ記録の光ディスクにも適用することも可能である。
【００２２】
本例のディスク１は、色素変化方式でデータのライトワンス記録を行う光ディスクであり、ディスクサイズとしては、直径が１２０ｍｍとされる。また、ディスク厚は１．２ｍｍ（カバー層が約０．１ｍｍ）となる。即ちこれらの点では外形的に見ればＣＤ（Compact Disc）方式のディスクや、ＤＶＤ（Digital Versatile Disc）方式のディスクと同様となる。
【００２３】
図２は、ディスク上のエリア構成を示している。
ディスク上の領域としては、内周側からリードインゾーン、データゾーン、リードアウトゾーンが配される。
リードインゾーンは、半径２４ｍｍより内側に位置する。また半径２４ｍｍ〜５８ｍｍの範囲がデータゾーン、半径５８ｍｍ〜５８．５ｍｍの範囲がリードアウトゾーンとされる。
【００２４】
図３に示すように、リードインゾーンにおいて半径２３．２３５〜２４ｍｍにはインフォメーションエリアInfo1、Info2や、テストライトエリアＯＰＣが設けられる。
半径２３．２７８〜２３．６２１ｍｍの範囲のテストライトエリアＯＰＣは記録／再生時のレーザパワー等、記録マークの記録再生条件を設定する際の試し書きなどに使われる。即ち記録再生条件調整領域である。
半径２３．９５８〜２４ｍｍの範囲のインフォメーションエリアInfo1、及び半径２３．２３５〜２３．２７８ｍｍの範囲のインフォメーションエリアInfo2には、ディフェクトマネジメントエリアやコントロールエリアが含まれる。ディフェクトマネジメントエリアＤＭＡはディスク上のディフェクト情報を管理する情報を記録再生する。コントロールエリアには、各種コントロール情報が記録される。
なお半径２３．６２１〜２３．９５８ｍｍの範囲のReserveエリアは将来的な使用のために確保されている。
【００２５】
半径２４．０〜５８．０ｍｍのデータゾーンは、実際にユーザーデータが記録再生される領域である。
半径５８．０〜５８．５ｍｍのリードアウトゾーンは、リードインゾーンと同様のディフェクトマネジメントエリアが設けられたり、また、シークの際、オーバーランしてもよいようにバッファエリアとしてつかわれる。
【００２６】
記録再生密度は、たとえば、トラックピッチ０．３２μｍ、線密度０．１２μｍ／bitとされる。
そしてユーザーデータ６４ＫＢを１クラスタとし、このユーザデータの１クラスタを単位て記録再生が行われる。
その場合、リードインゾーンにおけるインフォメーションエリアInfo ２には、２５６クラスタ、テストライトエリアＯＰＣには２０４８クラスタ、リザーブには２０４８クラスタ、インフォメーションエリアinfo 1には２５６クラスタ存在することになる。
ユーザーデータを記録再生するデータゾーンは３５５６０３クラスタあることになる。従ってユーザーデータの記録容量は、６４ＫＢ×355603 = 約２３．３ＧＢである。
リードアウトゾーンでは７４２９クラスタある。
【００２７】
なお、図３のリードインゾーンの半径２３．２３５ｍｍより内周側には、ファイナライズ前の段階で管理情報を記録しておく領域や、再生専用のデータ（例えばエンボスピットやウォブリンググルーブ）によりディスクの物理情報、記録再生条件、コピーコントロール情報等の管理情報を記録する領域、さらにはＢＣＡ（Burst Cutting Area）として知られているように、ディスク記録媒体固有のユニークＩＤ等の情報を、記録層を焼き切る記録方式でバーコード状に記録した領域などが形成されることがある。
【００２８】
２．データのＥＣＣフォーマット
【００２９】
図４，図５により、記録されるメインデータ（ユーザーデータや管理データ）のＥＣＣフォーマットを説明する。
ＥＣＣ（エラー訂正コード）としては、メインデータ６４ＫＢ（＝１セクターの２０４８バイト×３２セクター）に対するＬＤＣ（long distance code）と、ＢＩＳ(Burst indicator subcode)の２つがある。
【００３０】
図４（ａ）に示すメインデータ６４ＫＢについては、図４（ｂ）のようにＥＣＣエンコードされる。即ちメインデータは１セクタ２０４８Ｂについて４ＢのＥＤＣ(error detection code)を付加し、３２セクタに対し、ＬＤＣを符号化する。ＬＤＣはＲＳ(248,216,33)、符号長２４８、データ２１６、ディスタンス３３のＲＳ(reed solomon)コードである。３０４の符号語がある。
【００３１】
一方、ＢＩＳは、図４（ｃ）に示す７２０Ｂのデータに対して、図４（ｄ）のようにＥＣＣエンコードされる。即ちＲＳ(62,30,33)、符号長６２、データ３０、ディスタンス３３のＲＳ(reed solomon)コードである。２４の符号語がある。
【００３２】
図５にメインデータについてのフレーム構造を示している。
上記ＬＤＣのデータと、ＢＩＳは図示するフレーム構造を構成する。即ち１フレームにつき、データ（３８Ｂ）、ＢＩＳ（１Ｂ）、データ（３８Ｂ）、ＢＩＳ（１Ｂ）、データ（３８Ｂ）が配されて１５５Ｂの構造となる。つまり１フレームは３８Ｂ×４の１５２Ｂのデータと、３８ＢごとにＢＩＳが１Ｂ挿入されて構成される。
フレームシンクＦＳ（フレーム同期信号）は、１フレーム１５５Ｂの先頭に配される。１つのブロックには４９６のフレームがある。
ＬＤＣデータは、０，２，・・・の偶数番目の符号語が、０，２，・・・の偶数番目のフレームに位置し、１，３，・・・の奇数番目の符号語が、１，３，・・・の奇数番目のフレームに位置する。
【００３３】
ＢＩＳはＬＤＣの符号より訂正能力が非常に優れた符号をもちいており、ほぼ、すべて訂正される。つまり符号長６２に対してディスタンスが３３という符号を用いている。
このため、エラーが検出されたＢＩＳのシンボルは次のように使うことができる。
ＥＣＣのデコードの際、ＢＩＳを先にデコードする。図５のフレーム構造において隣接したＢＩＳあるいはフレームシンクＦＳの２つがエラーの場合、両者のあいだにはさまれたデータ３８Ｂはバーストエラーとみなされる。このデータ３８Ｂにはそれぞれエラーポインタが付加される。ＬＤＣではこのエラーポインタをつかって、ポインターイレージャ訂正をおこなう。
これによりＬＤＣだけの訂正より、訂正能力を上げることができる。
ＢＩＳにはアドレス情報等が含まれている。このアドレスは、ＲＯＭタイプディスク等で、ウォブリンググルーブによるアドレス情報がない場合等につかわれる。
【００３４】
３．ＲＵＢの記録方式
本例のディスク１に対する記録動作はＲＵＢ（Recording Unit Block）を単位として行われる。ＲＵＢとはデータの１クラスタを含む単位である。
基本的にＲＵＢは、フィジカルクラスタ（Physical cluster）の前にランイン（Run-in）、フィジカルクラスタの後にランアウト（Run-out）を加えたものとなる。
ＲＵＢ単位の記録方式としては、１つのＲＵＢを記録する場合と、複数のＲＵＢを連続（この場合の連続とは記録動作をとぎれなく継続的にという意味）して記録する場合がある。
【００３５】
図６（ａ）には、１つのＲＵＢを記録する動作で形成されるＲＵＢの構造を示している。この場合のＲＵＢをシングルリトゥンレコーディングユニットブロック（Single Written Recording Unit Block）と呼ぶ。なお、以下では「シングルリトゥンＲＵＢ」と略称する。
記録データはモノトーンベースのウォブリンググルーブに記録される。ウォブルの１周期は６９チャンネルビット（６９Ｔ）である。
１ＲＵＢとしては、まず４０ウォブル(wbs)の区間にランインが形成される。またフィジカルクラスタが、４９６×２８＝１３８８８wbsの区間に形成される。さらに続いて、ランアウトが１６wbsの区間に形成される。そしてこのような合計１３９４４ｗｂｓの区間に加えて、ガード(Ｇ３)として８wbsが記録される。
ランインは、オーバーラップされて記録されるリンキングエリアや、レーザーのオートパワーコントロール（Auto power control：APC）、ＰＬＬのひきこみのためのVFO、ゲインコントロール、オフセットコントロール等に使われる。
フィジカルクラスタはメインデータであり、ユーザーデータ、エラー訂正符号、フレーム同期信号等より構成される。
ランアウトはＰＬＬの終端、データエリアのデグラデーション（degradation）の防止等に使われる。
ガードＧ３はレーザーパワーを記録パワーから再生パワーに遷移するエリア、オーバーラップされて記録されるリンキングエリアとして使われる。
【００３６】
図６（ｂ）には、複数のＲＵＢを連続記録する動作で形成されるＲＵＢの構造を示している。なお、この場合の複数のＲＵＢをコンティニアスリトゥンシーケンスオブレコーディングユニットブロック（continuous written sequence of Recording Unit Block）と呼ぶ。なお、以下では「コンティニアスリトゥンＲＵＢ」と略称する。
この場合、ＲＵＢ＃１〜ＲＵＢ＃ｎが連続記録されるとしたとき、最後のＲＵＢ＃ｎをのぞいて、１つのＲＵＢは、シングルリトゥンＲＵＢのガードＧ３をのぞいたブロック構成と同じである。つまり、ランインが４０wbs、フィジカルクラスタが１３８８８wbs、ランアウトが１６wbsの区間に形成された、１３９４４ｗｂｓの区間の構成となる。
最後のＲＵＢ＃ｎは、シングルリトゥンＲＵＢと同じである。つまり、ランインが４０wbs、フィジカルクラスタが１３８８８wbs、ランアウトが１６wbsの区間に形成されることに加えて、ガードＧ３が８wbsの区間に形成される。
【００３７】
このようなシングルリトゥンＲＵＢ又はコンティニアスリトゥンＲＵＢとしての記録が、記録データの都合や或いはホスト機器の指示に応じて行われる。
そして本例の場合、いずれの場合であっても、記録済のＲＵＢに物理的に連続して新たなＲＵＢを記録する場合に、そのＲＵＢのリンキングがオーバラップして記録が行われる。具体的には、記録済の領域の終端のＲＵＢのガードＧ３にオーバラップして、新たなＲＵＢのランインの記録が行われることになる。
【００３８】
図７は各ＲＵＢがシングルリトゥンＲＵＢとして記録された場合を示す。
最初に図７（ａ）のようにＲＵＢ＃１がシングルリトゥンＲＵＢとして記録されたとする。次にシングルリトゥンＲＵＢとしてＲＵＢ＃２が記録される際には、図７（ｂ）に示すように、そのＲＵＢ＃２のランインが、ＲＵＢ＃１のガードＧ３の領域にオーバラップするように記録が行われる。
さらにその後、シングルリトゥンＲＵＢとしてＲＵＢ＃３が記録される際には、図７（ｃ）に示すように、そのＲＵＢ＃３のランインが、ＲＵＢ＃２のガードＧ３の領域にオーバラップするように記録が行われる。
【００３９】
また図示しないが、コンティニアスリトゥンＲＵＢとして複数のＲＵＢが記録された領域に続いて、コンティニアスリトゥンＲＵＢで複数のＲＵＢを記録する場合も同様にオーバラップされる。
即ち記録済のコンティニアスリトゥンＲＵＢの終端は図６（ｂ）に示したようにガードＧ３となっているが、次に記録を行うコンティニアスリトゥンＲＵＢの先頭のランインは、そのガードＧ３にオーバラップして記録されることになる。
【００４０】
さらに、シングルリトゥンＲＵＢとコンティニアスリトゥンＲＵＢが混在する場合も、その境界で、記録済の最後のＲＵＢのガードＧ３と、つぎのＲＵＢのランインがオーバーラップするように記録される。例えば図８（ａ）のようにシングルリトゥンＲＵＢとして記録された或るＲＵＢに続いて、コンティニアスリトゥンＲＵＢで複数のＲＵＢを記録する場合は、図８（ｂ）のように、ガードＧ３とランインがオーバラップするように記録される。
これとは逆にコンティニアスリトゥンＲＵＢの後にシングルリトゥンＲＵＢを形成する場合も同様である。
【００４１】
以上のようにＲＵＢがリンキングエリアとなるガードＧ３とランインでオーバラップして記録されることで、未記録領域と記録済領域が混在しないような記録が行われる。
つまり、２層ディスク等の多層ディスクを考慮した相変化方式の書換可能型のディスクと同様の記録動作が、本例のライトワンスディスクに対しても行われることになる。
【００４２】
４．ディスクドライブ装置
ところで、本例のディスク１はライトワンスディスクであるにもかかわらず上記のようにオーバラップ記録が行われる。これは、そのオーバラップ記録部分の記録再生特性を保障できないことになりかねない。即ちオーバラップ部分で急激な反射率のちがいが発生したり、あるいは、記録層へのダメージを与えたりする可能性があり、サーボ安定性が保障できないなど、システムの不安定化の要因となるおそれがある。
そこで本例では、次に説明するディスクドライブ装置により、後述するディスク評価を行うようにし、不適切なディスクを製造後の検査工程で排除するようにする。
【００４３】
なお、以下説明するディスクドライブ装置は、後述する評価処理を行うことができる装置とするが、通常の記録再生動作も行うことができるものとして説明する。従って、製造工場に配置されるディスクドライブ装置としての他、通常のディスクドライブ装置としても使用可能である。
【００４４】
図９にディスクドライブ装置の構成を示す。
ディスク１は、図示しないターンテーブルに積載され、記録／再生動作時においてスピンドルモータ５２によって一定線速度（ＣＬＶ）で回転駆動される。
そして光学ピックアップ（光学ヘッド）５１によってディスク１上のデータの読出が行われる。またグルーブトラックのウォブリングとして埋め込まれたＡＤＩＰ情報やディスクインフォメーションの読み出しがおこなわれる。
またディスク１に対する記録時には光学ピックアップによってグルーブトラックにデータがピットマーク（ディスク１がライトワンスディスクの場合は色素変化マーク、リライタブルディスクの場合はフェイズチェンジマーク）として記録される。
【００４５】
ピックアップ５１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
ピックアップ５１内において対物レンズは二軸機構によってトラッキング方向及びフォーカス方向に移動可能に保持されている。
またピックアップ５１全体はスレッド機構５３によりディスク半径方向に移動可能とされている。
またピックアップ５１におけるレーザダイオードはレーザドライバ６３からのドライブ信号（ドライブ電流）によってレーザ発光駆動される。
【００４６】
ディスク１からの反射光情報はフォトディテクタによって検出され、受光光量に応じた電気信号とされてマトリクス回路５４に供給される。
マトリクス回路５４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
なお、マトリクス回路５４は、ピックアップ５１内に形成される場合もある。
【００４７】
マトリクス回路５４から出力される再生データ信号はリーダ／ライタ回路５５へ、フォーカスエラー信号及びトラッキングエラー信号はサーボ回路６１へ、ウォブリンググルーブの検出情報であるプッシュプル信号はウォブル回路５８へ、それぞれ供給される。
【００４８】
リーダ／ライタ回路５５は、再生データ信号に対して２値化処理、ＰＬＬによる再生クロック生成処理等を行い、ディスク１のピットマークから読み出されたデータを再生して、変復調回路５６に供給する。
変復調回路５６は、再生時のデコーダとしての機能部位と、記録時のエンコーダとしての機能部位を備える。
再生時にはデコード処理として、再生クロックに基づいてランレングスリミテッドコードの復調処理を行う。
【００４９】
またＥＣＣ／スクランブル回路５７は、記録時にエラー訂正コードを付加するＥＣＣエンコード処理、及びスクランブル処理を行う。
再生時には、スクランブル処理に対するデスクランブル処理を行うとともに、エラー訂正のためのＥＣＣデコード処理を行う。
この再生時には、変復調回路５６で復調されたデータを内部メモリに取り込んで、デスクランブル処理及びエラー検出／訂正処理を行って再生データを得ることになる。
また、このＥＣＣ／スクランブル回路５７でのＥＣＣエンコード処理、及びＥＣＣデコード処理は、上述したＲＳ(248,216,33)、符号長２４８、データ２１６、ディスタンス３３のＲＳ(reed solomon)コードを用いたＥＣＣフォーマットに対応する処理となる。
【００５０】
ＥＣＣ／スクランブル回路５７で再生データにまでデコードされたデータは、システムコントローラ６０の指示に基づいて、読み出され、再生データとして図示しないホスト機器に転送される。ホスト機器としては例えばＡＶ（Audio-Visual）システムとしての機器やパーソナルコンピュータ等が接続される。
【００５１】
ディスク１のウォブリンググルーブに係る信号としてマトリクス回路５４から出力されるプッシュプル信号は、ウォブル回路５８において処理される。ＡＤＩＰ情報としてのプッシュプル信号は、ウォブル回路５８においてＭＳＫ復調、ＨＭＷ復調され、ＡＤＩＰアドレスを構成するデータストリームに復調されてアドレスデコーダ５９に供給される。
アドレスデコーダ５９は、供給されるデータについてのデコードを行い、アドレス値を得て、システムコントローラ６０に供給する。
またアドレスデコーダ５９はウォブル回路５８から供給されるウォブル信号を用いたＰＬＬ処理でクロックを生成し、例えば記録時のエンコードクロックとして各部に供給する。
【００５２】
ディスク１に対する記録時には、ホスト機器から記録データが転送されてくるが、その記録データはＥＣＣ／スクランブル回路５７におけるメモリに送られてバッファリングされる。
この場合ＥＣＣ／スクランブル回路５７は、バファリングされた記録データのエンコード処理として、エラー訂正コード付加やスクランブル処理、サブコード等の付加を行う。
またＥＣＣエンコード及びスクランブル処理されたデータは、変復調回路５６においてＲＬＬ（１−７）ＰＰ方式の変調が施され、リーダ／ライタ回路５５に供給される。
記録時においてこれらのエンコード処理のための基準クロックとなるエンコードクロックは上述したようにウォブル信号から生成したクロックを用いる。
【００５３】
エンコード処理により生成された記録データは、リーダ／ライタ回路５５で記録補償処理として、記録層の特性、レーザー光のスポット形状、記録線速度等に対する最適記録パワーの微調整やレーザドライブパルス波形の調整などが行われた後、レーザドライブパルスとしてレーザードライバ６３に送られる。
レーザドライバ６３では供給されたレーザドライブパルスをピックアップ５１内のレーザダイオードに与え、レーザ発光駆動を行う。これによりディスク１に記録データに応じたピットマークが形成されることになる。
【００５４】
なお、レーザドライバ６３は、いわゆるＡＰＣ回路（Auto Power Control）を備え、ピックアップ５１内に設けられたレーザパワーのモニタ用ディテクタの出力によりレーザ出力パワーをモニターしながらレーザーの出力が温度などによらず一定になるように制御する。記録時及び再生時のレーザー出力の目標値はシステムコントローラ６０から与えられ、記録時及び再生時にはそれぞれレーザ出力レベルが、その目標値になるように制御する。
【００５５】
サーボ回路６１は、マトリクス回路５４からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、ピックアップ５１内の二軸機構のフォーカスコイル、トラッキングコイルを駆動することになる。これによってピックアップ５１、マトリクス回路５４、サーボ回路６１、二軸機構によるトラッキングサーボループ及びフォーカスサーボループが形成される。
またサーボ回路６１は、システムコントローラ６０からのトラックジャンプ指令に応じて、トラッキングサーボループをオフとし、ジャンプドライブ信号を出力することで、トラックジャンプ動作を実行させる。
【００５６】
またサーボ回路６１は、トラッキングエラー信号の低域成分として得られるスレッドエラー信号や、システムコントローラ６０からのアクセス実行制御などに基づいてスレッドドライブ信号を生成し、スレッド機構５３を駆動する。スレッド機構５３には、図示しないが、ピックアップ５１を保持するメインシャフト、スレッドモータ、伝達ギア等による機構を有し、スレッドドライブ信号に応じてスレッドモータを駆動することで、ピックアップ５１の所要のスライド移動が行なわれる。
【００５７】
スピンドルサーボ回路６２はスピンドルモータ２をＣＬＶ回転させる制御を行う。
スピンドルサーボ回路６２は、ウォブル信号に対するＰＬＬ処理で生成されるクロックを、現在のスピンドルモータ５２の回転速度情報として得、これを所定のＣＬＶ基準速度情報と比較することで、スピンドルエラー信号を生成する。
またデータ再生時においては、リーダ／ライタ回路５５内のＰＬＬによって生成される再生クロック（デコード処理の基準となるクロック）が、現在のスピンドルモータ５２の回転速度情報となるため、これを所定のＣＬＶ基準速度情報と比較することでスピンドルエラー信号を生成することもできる。
そしてスピンドルサーボ回路６２は、スピンドルエラー信号に応じて生成したスピンドルドライブ信号を出力し、スピンドルモータ６２のＣＬＶ回転を実行させる。
またスピンドルサーボ回路６２は、システムコントローラ６０からのスピンドルキック／ブレーキ制御信号に応じてスピンドルドライブ信号を発生させ、スピンドルモータ２の起動、停止、加速、減速などの動作も実行させる。
【００５８】
以上のようなサーボ系及び記録再生系の各種動作はマイクロコンピュータによって形成されたシステムコントローラ６０により制御される。
システムコントローラ６０は、ホスト機器からのコマンドに応じて各種処理を実行する。
例えばホスト機器から書込命令（ライトコマンド）が出されると、システムコントローラ６０は、まず書き込むべきアドレスにピックアップ５１を移動させる。そしてＥＣＣ／スクランブル回路５７、変復調回路５６により、ＡＶシステム１２０から転送されてきたデータ（例えばＭＰＥＧ２などの各種方式のビデオデータや、オーディオデータ等）について上述したようにエンコード処理を実行させる。そして上記のようにリーダ／ライタ回路５５からのレーザドライブパルスがレーザドライバ６３に供給されることで、記録が実行される。
【００５９】
また例えばホスト機器から、ディスク１に記録されている或るデータ（ＭＰＥＧ２ビデオデータ等）の転送を求めるリードコマンドが供給された場合は、まず指示されたアドレスを目的としてシーク動作制御を行う。即ちサーボ回路６１に指令を出し、シークコマンドにより指定されたアドレスをターゲットとするピックアップ５１のアクセス動作を実行させる。
その後、その指示されたデータ区間のデータをＡＶシステム１２０に転送するために必要な動作制御を行う。即ちディスク１からのデータ読出を行い、リーダ／ライタ回路５５、変復調回路５６、ＥＣＣ／スクランブル回路５７におけるデコード／バファリング等を実行させ、要求されたデータを転送する。
【００６０】
なお、これらのデータの記録時や再生時には、システムコントローラ６０は、アドレスデコーダ５９によって検出されるＡＤＩＰアドレス、或いはＢＩＳに含まれるアドレスを用いてアクセスや記録再生動作の制御を行う。
【００６１】
このようなディスクドライブ装置では、以上のようにディスク１に対する記録再生動作が可能とされると共に、ディスク評価のための処理も可能とされる。
例えば等がディスクドライブ装置は製造ラインの検査工程のために配置され、生産されたディスク（本例のライトワンスディスク）の評価を行う。
評価のためにはディスクに対してデータ記録を行い、その記録データを再生してエラーレートを計測する。そしてエラーレートが所定値以下であるか否かにより評価結果を出力する。再生の際にはＥＣＣ／スクランブル回路５７でエラーレートの値が得られるが、システムコントローラ６０はエラーレートを所定値と比較して、その結果により検査ＯＫ／ＮＧの評価結果を例えばホスト機器に対して出力することになる。
【００６２】
５．評価処理
上記ディスクドライブ装置によって実行される評価処理を図１０で説明する。
ディスクの製造工程においては、同一の製造ロットのディスクは、ほぼ同じ特性と考えて良い。そのため、或る製造ロットに関しては、製造された多数のディスクのうちで所定数のディスクを抽出し、以下に説明する評価処理を行う。
【００６３】
図１０はシステムコントローラ６０の処理として示している。
品質評価のために抽出したディスク１がディスクドライブ装置に装填され、例えばホスト機器がシステムコントローラ６０に評価処理を指示することで、図１０の処理が開始される。
まずステップＦ１０１では、システムコントローラ６０は、ディスク１に対してシングルリトゥンＲＵＢとしての記録動作として、クラスタ（ＲＵＢ）を記録する動作を実行される。なお、この際の記録データはホスト機器からＥＣＣ／スクランブル回路５７に供給されるようにしても良いし、システムコントローラ５７がテスト用のデータパターンを発生させ、ＥＣＣ／スクランブル回路５７に供給してもよい。ステップＦ１０１の制御によって、上記した記録系の処理が行われ、１ＲＵＢの記録が行われる。
ステップＦ１０２では、１ＲＵＢが適正に記録できたか否かを判断する。
適正に記録ができていればステップＦ１０３に進み、１００クラスタ（１００ＲＵＢ）の記録が完了したか否かを判断する。１００クラスタの記録が完了していなければステップＦ１０１に戻り、再びシングルリトゥンＲＵＢとしての１ＲＵＢの記録制御を行う。なお、この際、既に記録されたシングルリトゥンＲＵＢに物理的に連続して次のシングルリトゥンＲＵＢの記録を行うことになり、図７で説明したようにランインがガードＧ３にオーバラップするように記録が行われることになる。即ちシステムコントローラ６０は、記録済のＲＵＢのガードＧ３のアドレスから次のＲＵＢの記録を行うように制御する。
【００６４】
このステップＦ１０１〜Ｆ１０３の処理によっては、各シングルリトゥンＲＵＢが、物理的に連続してオーバラップされながら、１００個のＲＵＢの記録が行われる。
もし、この１００ＲＵＢの記録が完了するまでの間に、ステップＦ１０２で正常な記録ができなかったと判断された場合はステップＦ１０８に進む。例えば、或るシングルリトゥンＲＵＢの記録の際に、トラキングサーボ異常等で正常に記録できなかった場合は、ステップＦ１０２からＦ１０８に進み、当該メディアは不良であるとの評価結果を出力して評価処理を終える。
【００６５】
各シングルリトゥンＲＵＢについて正常な記録が継続され、１００ＲＵＢの記録が完了したら、ステップＦ１０３からＦ１０４に進み、一連の記録動作を終了させる。そしてステップＦ１０５では、記録した１００クラスタを再生し、エラーレート（ＳＥＲ：Symbol Error Rate）を計測する。即ちシステムコントローラ６０は、１００クラスタの再生に際してＥＣＣ／スクランブル回路５７でによって得られるエラーレートを取得する。
そしてステップＦ１０６では、エラーレート（ＳＥＲ）を所定値と比較する。クライタリオンとして、例えば、２×１０-4以下のＳＥＲであれば、適正なメディアとして評価してよい。そこで計測されたエラーレートが２×１０-4以下であれば、ステップＦ１０７に進み、良好なメディアであると判定し、メディアＯＫの評価結果を出力して処理を終える。
一方、エラーレートが２×１０-4を越えていれば、ステップＦ１０８に進み、不良なメディアであると判定し、メディアＮＧの評価結果を出力して処理を終える。
【００６６】
このような評価によって、当該製造ロットのディスク品質を判断し、不良品を排除する。
即ちオーバーラップして記録を行う際に、例えばトラッキングサーボに影響を与えるようなメディアは、ステップＦ１０２→Ｆ１０８で評価ＮＧと判定されるため、不良ディスクとして排除できる。
また、オーバラップ記録を行った後に再生した際に、エラーレートにより、メディアの記録再生品質を評価することができ、エラーレートの基準をみたさないディスクは、ステップＦ１０６→Ｆ１０７でＮＧとされ、メディア品質が不十分であるとして除くことができる。
さらに、オーバーラップして記録したことにより、たとえば、オーバーラップしたエリアのトラッキングエラーに不正な影響を与えるようなメディアは、再生時に安定したトラッキングサーボをかけることができない。このため、エラーレートの基準を満たすことができず、同じくステップＦ１０６→Ｆ１０７でＮＧとされ、メディア品質が不十分であるとして除くことができる。
これらの点で不良ディスクが除かれることで、適正なディスク、即ち評価ＯＫのディスクを含む製造ロットのディスクのみを出荷できることになる。
【００６７】
本実施の形態では、このようにして製造されたライトワンスディスクの評価を行うことで、オーバラップ記録を行うライトワンスディスクとして、適正に品質判定を行い、不適切なディスクを排除して良好なディスクのみをユーザーに提供できる。つまりオーバラップする記録方式を行っても問題ないディスクが出荷される。例えばオーバーラップ記録した場合の、急激な反射率のちがいが生じるディスクや、記録層へのダメージによる悪影響などによりトラッキングサーボが安定しないディスクなどは排除される。これにより、オーバラップ記録を行うライトワンスディスクを用いるシステムの安定動作を保証できる。
また、オーバラップ記録部分についての良否が検査工程で保障されることは、言い換えればオーバラップ記録部分のメディアスペックを規定しなくても良いものとなることを意味する。つまりライトワンスディスクに対して多数回記録についてのメディアスペック、例えばジッタ（２値データエッジと再生クロックとのジッタ）や、変調度（記録後の再生信号振幅と記録前の信号振幅の比）、プッシュプル信号振幅、その他を定義しないことで、ライトワンス記録媒体のメディアスペックの定義自体の困難性を回避することができると共に、メディアや記録再生装置の設計・製造上の難易度が増すこともない。
【００６８】
なお上記実施の形態では、システムコントローラ６０がステップＦ１０６の判定処理を行うようにしたが、例えばディスクドライブ装置はエラーレート（ＳＥＲ）を出力し、そのエラーレートをホスト機器において所定のエラーレートと比較することで良否判定をおこなうようにしてもよい。或いはエラーレートの値自体を例えばモニタ表示させ、作業者がその数値を確認して良否判定を行うようにしても良い。
また、上記図１０のような処理は、ユーザーサイドの記録再生装置で実行することも可能である。
また本発明は多様な種別のライトワンスディスク、或いは他の種のライトワンスメディアを用いるシステムにおいて採用可能である。
【図面の簡単な説明】
【００６９】
【図１】本発明の実施の形態のディスクのトラック構造の説明図である。
【図２】実施の形態のディスクのエリア構造の説明図である。
【図３】実施の形態のディスクのゾーン内の構造の説明図である。
【図４】実施の形態のディスクのデータのＥＣＣ構造の説明図である。
【図５】実施の形態のディスクのデータのフレーム構造の説明図である。
【図６】実施の形態のＲＵＢ単位の記録方式の説明図である。
【図７】実施の形態のオーバラップ記録の説明図である。
【図８】実施の形態のオーバラップ記録の説明図である。
【図９】実施の形態のディスクドライブ装置のブロック図である。
【図１０】実施の形態の評価方法のフローチャートである。
【符号の説明】
【００７０】
１  ディスク、５１  ピックアップ、５２  スピンドルモータ、５３  スレッド機構、５４  マトリクス回路、５５  リーダ／ライタ回路、５６  変復調回路、５７  ＥＣＣ／スクランブル回路、５８  ウォブル回路、５９  アドレスデコーダ、６０  システムコントローラ、６１  サーボ回路、６２  スピンドルサーボ回路、６３  レーザドライバ
【図１】
2005216395.tif 000003
【図２】
2005216395.tif 000004
【図３】
2005216395.tif 000005
【図４】
2005216395.tif 000006
【図５】
2005216395.tif 000007
【図６】
2005216395.tif 000008
【図７】
2005216395.tif 000009
【図８】
2005216395.tif 000010
【図９】
2005216395.tif 000011
【図１０】
2005216395.tif 000012